(57)【要約】      （修正有）【課題】被写体に対する照明光の照射方向を被写体のカメラに対する距離に対応して正確、かつ、自動的に設定し得る照射方向可変ストロボ装置を提供する。【解決手段】照射方向可変ストロボ装置１は、発光窓５から射出する光束の方向が変更するように回動可能に内蔵配置した発光管７、反射鏡８を一体化した構成の発光部６と、発光部６を回動駆動する駆動部９と、この駆動部９による発光部６の実際回動角度信号を出力する角度検出部１０と、カメラ３１に搭載した測距センサ３３により得られる被写体距離情報を取り込み、予め設定した距離・回動角度情報を用いて回動角度信号を生成し駆動部９に送って発光部６の回動角度を変更すると共に、前記角度検出部１０からの実際回動角度信号を用いて調整角度信号を生成し駆動部９に送って発光部６の回動角度を自動調整する制御部とを有するものである。【選択図】図２
2010079033.tif 000002
【特許請求の範囲】
【請求項１】
カメラとストロボ本体とを定位置で組み合わせて被写体に照明光を照射する照射方向可変ストロボ装置であって、
ストロボ本体に設けた発光窓に臨ませ、かつ、発光窓から射出する光束の方向が変更するように回動可能に内蔵配置した発光管、反射鏡を一体化した構成の発光部と、
前記ストロボ本体に設けた前記発光部を回動駆動する駆動部と、
前記カメラに搭載した測距センサにより得られるカメラと被写体との距離情報を取り込み、予め設定した距離・回動角度情報を用いて前記カメラと被写体との距離に応じた回動角度信号を生成し前記駆動部に送って前記発光部の回動角度を自動調整する制御部と、
を有することを特徴とする照射方向可変ストロボ装置。
【請求項２】
カメラとストロボ本体とを定位置で組み合わせて被写体に照明光を照射する照射方向可変ストロボ装置であって、
ストロボ本体に設けた発光窓に臨ませ、かつ、発光窓から射出する光束の方向が変更するように回動可能に内蔵配置した発光管、反射鏡を一体化した構成の発光部と、
前記ストロボ本体に設けた前記発光部を回動駆動する駆動部と、
この駆動部による発光部の実際回動角度信号を出力する角度検出部と、
前記カメラに搭載した測距センサにより得られるカメラと被写体との距離情報を取り込み、予め設定した距離・回動角度情報を用いて前記カメラと被写体との距離に応じた回動角度信号を生成し前記駆動部に送って前記発光部の回動角度を変更するとともに、前記角度検出部からの実際回動角度信号を用いて調整角度信号を生成し前記駆動部に送って前記発光部の回動角度を予め設定したカメラと被写体との距離に対応する角度に自動調整する制御部と、
を有することを特徴とする照射方向可変ストロボ装置。
【請求項３】
カメラとストロボ本体とを定位置で組み合わせて被写体に照明光を照射する照射方向可変ストロボ装置であって、
ストロボ本体に設けた発光面を正面から底面の一部にわたって連続させた形状の発光窓に臨ませ、かつ、発光窓から射出する光束の方向が上下方向に変更するように回動可能に内蔵配置した発光管、反射鏡を一体化した構成の発光部と、
前記ストロボ本体に設けた前記発光部を回動駆動する駆動部と、
この駆動部による発光部の実際回動角度信号を出力する角度検出部と、
前記カメラに搭載した測距センサにより得られるカメラと被写体との距離情報を取り込み、予め設定した距離・回動角度情報を用いて前記カメラと被写体との距離に応じた回動角度信号を生成し前記駆動部に送って前記発光部の回動角度を変更するとともに、前記角度検出部からの実際回動角度信号を用いて調整角度信号を生成し前記駆動部に送って前記発光部の回動角度を予め設定したカメラと被写体との距離に対応する角度に自動調整する制御部と、
を有することを特徴とする照射方向可変ストロボ装置。
【請求項４】
カメラとストロボ本体とを定位置で組み合わせて被写体に照明光を照射する照射方向可変ストロボ装置であって、
ストロボ本体に設けた発光面を曲面形状とした発光窓に臨ませ、かつ、発光窓から射出する光束の方向が上下方向に変更するように回動可能に内蔵配置した発光管、反射鏡を一体化した構成の発光部と、
前記ストロボ本体に設けた前記発光部を回動駆動する駆動部と、
この駆動部による発光部の実際回動角度信号を出力する角度検出部と、
前記カメラに搭載した測距センサにより得られるカメラと被写体との距離情報を取り込み、予め設定した距離・回動角度情報を用いて前記カメラと被写体との距離に応じた回動角度信号を生成し前記駆動部に送って前記発光部の回動角度を変更するとともに、前記角度検出部からの実際回動角度信号を用いて調整角度信号を生成し前記駆動部に送って前記発光部の回動角度を予め設定したカメラと被写体との距離に対応する角度に自動調整する制御部と、
を有することを特徴とする照射方向可変ストロボ装置。
【発明の詳細な説明】
【技術分野】
【０００１】
本発明は、照射方向可変ストロボ装置に関するものである。
【背景技術】
【０００２】
従来、カメラに対して定位置に装着し被写体撮影時にこの被写体に照明光を照射するストロボ装置は多く使用されている。
【０００３】
このようなストロボ装置が被写体に対する照明光の照射方向を変更できない固定式の場合、例えば被写体の近距離撮影時に被写体に向けて照射する照明光の一部がストロボ本体の発光窓の下部の不透明材からなる枠材等でけられてしまい、この結果、被写体に適正な照明光を照射することができず、撮影画像の質の劣化を招くことが多々生じている。
【０００４】
このため、従来においても、被写体に対する照明光の照射状態を変更し得るようなストロボ装置が提案され、実用化されている。
【０００５】
例えば、特許文献１には、光源を反射傘にて規定される移動範囲内の一方端へ強制的に移動させ、該一方端を反射傘に対する光源の移動動作の原点位置として機能させ、以降の光源の移動動作を制御手段により上記原点位置に基づいて制御するように構成し、被写体に対する照明光の照射範囲（面積）を広くしたり、狭くしたりするようにした照射角可変ストロボ装置が提案されている。すなわち、特許文献１の照射角可変ストロボ装置は、一般にズームストロボと称されるものであり、カメラレンズの画角に合わせて照射範囲を可変としたものである。
【０００６】
この特許文献１のストロボ装置の場合、発光部の照射方向自体を可変としたものではなく、また、光源の移動機構や光源を移動させるための制御要素の構成が相当複雑になるものと推定される。
【特許文献１】特開平１０−９６９８２号公報
【発明の開示】
【発明が解決しようとする課題】
【０００７】
本発明が解決しようとする問題点は、簡略な構成でありながら、被写体に対する照明光の照射方向を被写体のカメラに対する距離に対応して正確、かつ、自動的に設定し得るような照射方向可変ストロボ装置が存在しない点である。
【課題を解決するための手段】
【０００８】
本発明に係る照射方向可変ストロボ装置は、カメラとストロボ本体とを定位置で組み合わせて被写体に照明光を照射する照射方向可変ストロボ装置であって、ストロボ本体に設けた発光窓に臨ませ、かつ、発光窓から射出する光束の方向が変更するように回動可能に内蔵配置した発光管、反射鏡を一体化した構成の発光部と、前記ストロボ本体に設けた前記発光部を回動駆動する駆動部と、前記カメラに搭載した測距センサにより得られるカメラと被写体との距離情報を取り込み、予め設定した距離・回動角度情報を用いて前記カメラと被写体との距離に応じた回動角度信号を生成し前記駆動部に送って前記発光部の回動角度を自動調整する制御部と、を有することを最も主要な特徴とする。
【発明の効果】
【０００９】
請求項１記載の発明によれば、発光管の発光に基づく照明光をカメラ前方に位置する被写体の距離応じて適正に照射することが可能な照射方向可変ストロボ装置を提供することができる。
【００１０】
請求項２記載の発明によれば、発光管の発光に基づく照明光をカメラ前方に位置する被写体の距離応じて適正に照射することが可能であり、かつ、発光部を予め設定した対応する角度に正確に、かつ、自動的に調整し、良質な撮影画像の取得を実現できる照射方向可変ストロボ装置を提供することができる。
【００１１】
請求項３記載の発明によれば、請求項２記載の発明と同様な効果を奏することに加え、発光面を正面から底面の一部にわたって連続させた形状の発光窓を備えることから、照明光のけられも防止できる照射方向可変ストロボ装置を提供することができる。
【００１２】
請求項４記載の発明によれば、請求項２記載の発明と同様な効果を奏することに加え、発光面を曲面形状とした発光窓を備えることから、照明光のけられも防止できる照射方向可変ストロボ装置を提供することができる。
【発明を実施するための最良の形態】
【００１３】
本発明は、簡略な構成でありながら、被写体に対する照明光の照射方向を被写体のカメラに対する距離に対応して高精度、かつ、自動的に設定し得るような照射方向可変ストロボ装置を提供するという目的を有するものである。
【００１４】
本発明に係る照射方向可変ストロボ装置は、カメラとストロボ本体とを定位置で組み合わせて被写体に照明光を照射する照射方向可変ストロボ装置であって、ストロボ本体に設けた発光窓に臨ませ、かつ、発光窓から射出する光束の方向が変更するように回動可能に内蔵配置した発光管、反射鏡を一体化した構成の発光部と、前記ストロボ本体に設けた前記発光部を回動駆動する駆動部と、この駆動部による発光部の実際回動角度信号を出力する角度検出部と、前記カメラに搭載した測距センサにより得られるカメラと被写体との距離情報を取り込み、予め設定した距離・回動角度情報を用いて前記カメラと被写体との距離に応じた回動角度信号を生成し前記駆動部に送って前記発光部の回動角度を変更するとともに、前記角度検出部からの実際回動角度信号を用いて調整角度信号を生成し前記駆動部に送って前記発光部の回動角度を予め設定したカメラと被写体との距離に対応する角度に自動調整する制御部と、を有する構成により上記目的を実現した。
【実施例】
【００１５】
以下に、本発明の実施例に係る照射方向可変ストロボ装置１について図１乃至図４を参照して詳細に説明する。
【００１６】
本実施例に係る照射方向可変ストロボ装置（以下「ストロボ装置」ともいう）１は、図１に示すように、例えばデジタルカメラ等のカメラ３１のアクセサリーシュー部３２に固定する状態で装着し、カメラ３１の前方でかつ遠距離Ｌ１に位置する被写体Ｐ１、近距離Ｌ２に位置する被写体Ｐ２に対して、これらのカメラ３１からの距離に応じて異なる照射方向で、すなわち、近距離Ｌ２に位置する被写体Ｐ２に対しては、遠距離Ｌ１に位置する被写体Ｐ１に対する場合よりも下向きの照明光を照射するように構成したことが特徴である。
【００１７】
前記ストロボ装置１及びカメラ３１について詳述すると、図２乃至図４に示すように、前記ストロボ装置１は、前記カメラ３１のアクセサリーシュー部３２に装着する例えば直方体状の基部３及びこの基部３と一体の例えば直方体状の発光部筺体４からなるストロボ本体２を具備している。
【００１８】
前記発光部筺体４の被写体Ｐ１側に対面する一端面側には、図２、図３、図４に示すように、フレネルレンズ仕様の発光窓５を設けている。
【００１９】
この発光窓５は、発光部筺体４の正面（被写体Ｐ１側の面）から底面の一部にわたって連続させた形状としている。
【００２０】
前記発光部筺体４内には、前記発光窓５に臨ませ、かつ、発光窓５から射出する照明光の光束の方向が上下方向に変更するように回動可能に発光管７、反射鏡８を一体化した公知の構成の発光部６を軸支している。
【００２１】
また、本実施例に係るストロボ装置１は、前記発光部筺体４の側面に、前記発光部６を回動駆動する駆動部９と、この駆動部９による発光部６の実際回動角度信号を出力する例えばロータリーエンコーダからなる角度検出部１０とを配置している。
【００２２】
前記駆動部９は、前記発光部筺体４の側壁を貫いて発光部６の側壁に一端を連結し、その他端に従動歯車１１を配置した回動軸１２と、前記発光部筺体４の側壁に取り付けた例えばステッピングモータを用いた駆動モータ１３と、この駆動モータ１３の原動軸に嵌装した前記角度検出部１０と、駆動モータ１３の原動軸の突出端に取り付けられ、前記従動歯車１１に噛合させた原動歯車１４とを有している。
【００２３】
前記角度検出部１０は、回動軸１２に同軸配置され、発光部６の実際回動角度信号を出力するように構成している。
【００２４】
さらに、本実施例に係るストロボ装置１は、図２に示すように、前記カメラ３１に搭載した測距センサ３３により得られるカメラ３１と被写体Ｐ１又はＰ２との距離情報を取り込み、前記駆動部９を制御する制御部２１を有している。
【００２５】
前記制御部２１は、前記距離情報を取り込むとともに、ストロボ装置１全体の制御を行うＣＰＵ（中央処理装置）２２と、予め設定した距離・回動角度情報を記憶した距離・回動角度情報記憶部２３と、ＣＰＵ２２の制御の基に前記距離情報に応じた回動角度信号を生成し前記駆動部９に送って前記発光部６の回動角度を変更する被写体Ｐ１又はＰ２との距離（被写体Ｐ１：遠距離Ｌ１）、（被写体Ｐ２：近距離Ｌ２）に応じて変更する回動角度信号出力部２４と、を有している。
【００２６】
また、前記回動角度信号出力部２４は、前記ＣＰＵ２２により求める前記回動角度信号と前記角度検出部１０からの実際回動角度信号との差に応じた調整角度信号を生成し、前記駆動部９に送って前記発光部６の回動角度を予め設定したカメラ３１と被写体Ｐ１又はＰ２との距離に対応する角度に正確に自動調整するように構成している。
【００２７】
尚、前記距離・回動角度情報記憶部２３は、予め設定した距離・回動角度情報、例えば、遠距離Ｌ１に対応づけて下向きの回動角度情報１度、近距離Ｌ２に対応づけて下向きの回動角度情報５度等のような情報を予め記憶している。
【００２８】
前記測距センサ３３としては、例えば赤外光の発光、受光に基づき三角測量方法を用いてカメラ３１から被写体Ｐ１又はＰ２からまでの距離を測定する例を挙げることができる。
【００２９】
次に、本実施例に係るストロボ装置１の動作を図３、図４をも参照して説明する。
【００３０】
カメラマンが本実施例に係るストロボ装置１を図１に示すようにカメラ３１に装着し、これらを例えば遠距離Ｌ１の被写体Ｐ１に向けて撮影を実行するに際して、前記カメラ３１に搭載した測距センサ３３は、被写体Ｐ１までの距離情報（遠距離Ｌ１）を求めて、この距離情報を公知の経路で前記ストロボ装置１の制御部２１に送る。
【００３１】
前記ストロボ装置１における制御部２１においては、ＣＰＵ２２が前記被写体Ｐ１までの距離情報を取り込み、前記距離・回動角度情報記憶部２３を参照して当該距離情報に対応する下向きの回動角度情報１度の情報を抽出して回動角度信号出力部２４に送る。
【００３２】
回動角度信号出力部２４は、前記下向きの回動角度情報１度の情報を基に、前記距離情報に応じた回動角度信号を生成し前記駆動部９の駆動モータ１３に送る。
【００３３】
これにより、図３に示すように、駆動モータ１３が回転し、原動歯車１４、従動歯車１１、回動軸１２を介して前記発光部６を下向きに１度分回動させ、前記ストロボ装置１の発光管７の発光に基づく照明光を遠距離Ｌ１に位置する被写体Ｐ１に向けて適正に照射することが可能となる。
【００３４】
本実施例に係るストロボ装置１においては、さらに、上述した前記発光部６の下向きの回動に伴って、前記角度検出部１０は、発光部６の実際回動角度信号を前記ＣＰＵ２２に送る。
【００３５】
前記回動角度信号出力部２４は、前記ＣＰＵ２２により求める前記回動角度信号と前記角度検出部１０からの実際回動角度信号との差に応じた調整角度信号を生成し、前記駆動部９に送る。
【００３６】
これにより、駆動モータ１３が調整角度信号に対応した分回転し、前記発光部６の回動角度を、予め設定したカメラ３１と遠距離Ｌ１の被写体Ｐ１との距離に対応する角度（例えば１度）に正確に、かつ、自動的に調整することができ、前記ストロボ装置１の発光管７の発光に基づく照明光を被写体Ｐ１に照射しての良質な撮影画像の取得を実現できる。
【００３７】
カメラマンが、例えば近距離Ｌ２の被写体Ｐ２の撮影を実行する場合においても、上述した場合と全く同様な動作の基に、図４に示すように、前記発光部６の回動角度を、予め設定したカメラ３１と近距離Ｌ２の被写体Ｐ２との距離に対応する角度（例えば５度）に正確に、かつ、自動的に調整することができ、この場合にも、前記ストロボ装置１の発光管７の発光に基づく照明光を被写体Ｐ２に照射しての良質な撮影画像の取得を実現できる。
【００３８】
また、本実施例に係るストロボ装置１によれば、前記発光窓５を、発光部筺体４の正面からその底面の一部にわたって連続する形状としているので、例えば、図４に示すように、前記発光部６の回動角度を５度としたような場合でも、発光部６からの照明光の光束の一部、特に図４に示す下部の光束が発光部筺体４の端部等でけられるような不都合を回避でき、近距離Ｌ２の被写体Ｐ２に適正な照明光を照射しての撮影を実現できる。
【００３９】
図５は、前記ストロボ装置１における発光部筺体４の他例を示すものであり、この発光部筺体４Ａは、その一面にフレネルレンズ仕様で、かつ、側面から見て半円状等のような曲面形状とした発光窓５を設けたことが特徴である。
【００４０】
このような発光部筺体４Ａを備えたストロボ装置１によっても、上述した発光部筺体４を備えたストロボ装置１の場合と同様な作用、効果を発揮させることができ、かつ、前記発光部６の回動角度を５度としたような場合でも、発光部６からの照明光の光束の一部がけられるような事態も前記曲面形状の発光窓５の存在によって回避でき、近距離Ｌ２の被写体Ｐ２に適正な照明光を照射しての撮影を実現できる。
【００４１】
尚、上述した実施例では、前記駆動部９を発光部筺体４の外部に取り付ける構成を説明したが、前記駆動部９を発光部筺体４内部に組み込む構成とすることももちろん可能である。
【００４２】
また、上述した実施例では、発光部６を遠距離Ｌ１、近距離Ｌ２に対応して２段階に回動させる場合について説明したが、これは一例であり、発光部を遠距離の被写体からカメラの近距離の被写体にわたって多数段階に回動させる構成とすることができることは言う間でもない。
【産業上の利用可能性】
【００４３】
本発明のストロボ装置は、クリップオン型、グリップ型のストロボ装置を問わず、また、大型、小型を問わず適用でき、さらには、カメラ搭載ストロボにも応用可能である。
【図面の簡単な説明】
【００４４】
【図１】本発明の実施例に係るストロボ装置をカメラに装着した状態での被写体に対する照明光の照射状態を示す説明図である。
【図２】本実施例に係るストロボ装置の全体構成を示す概略図である。
【図３】本実施例に係るストロボ装置の発光部を１度回動させた状態の概略説明図である。
【図４】本実施例に係るストロボ装置の発光部を５度回動させた状態の概略説明図である。
【図５】本実施例に係るストロボ装置における発光窓の他例を示す概略部分断面図である。
【符号の説明】
【００４５】
１    照射方向可変ストロボ装置
２    ストロボ本体
３    基部
４    発光部筺体
４Ａ  発光部筺体
５    発光窓
６    発光部
７    発光管
８    反射鏡
９    駆動部
１０    角度検出部
１１    従動歯車
１２    回動軸
１３    駆動モータ
１４    原動歯車
２１    制御部
２２    ＣＰＵ
２３    距離・回動角度情報記憶部
２４    回動角度信号出力部
３１    カメラ
３２    アクセサリーシュー部
３３    測距センサ
Ｌ１    遠距離
Ｌ２    近距離
Ｐ１    被写体
Ｐ２    被写体
【図１】
2010079033.tif 000003
【図２】
2010079033.tif 000004
【図３】
2010079033.tif 000005
【図４】
2010079033.tif 000006
【図５】
2010079033.tif 000007